(57)【要約】【課題】  複数の撮像機器で撮影された画像データの時間的な前後関係や関連を明確化する技術を実現する。【解決手段】  撮像システムは第１および第２の撮像装置を含み、相互に通信可能に構成される。第２の撮像装置は、動画像の撮影動作中に第１の撮像装置からマーカー要求信号を受信すると（Ｓ４０７，ＹＥＳ）、マーカー要求信号に含まれる送信元を特定するＩＤ情報および送信元で撮影された画像データのＩＤ情報、動画データのＩＤ情報、当該マーカー要求信号の受信時点におけるフレーム位置情報、を含むマーカーデータを作成し（Ｓ４１０）、そのマーカーデータに基づいて、動画データの初期フレームの画像、マーカー要求信号の受信時点における動画データのフレーム位置の画像、送信元情報およびその送信元で撮影された画像データのＩＤ情報を表示する。【選択図】  図４
2005136892.tif 000002
【特許請求の範囲】
【請求項１】
相互に通信可能に構成された第１および第２の撮像装置を含む撮像システムであって、
第１の撮像装置は、
撮像動作を行う時点で、送信元を特定するＩＤ情報と当該撮像動作により作成される画像データのＩＤ情報とを含むマーカー要求信号を第２の撮像装置に送信する送信手段を有し、
第２の撮像装置は、
動画像の撮影動作中に前記マーカー要求信号を受信した場合、当該マーカー要求信号に含まれる前記送信元を特定するＩＤ情報および前記画像データのＩＤ情報と、この撮影動作によって作成される動画データのＩＤ情報と、当該マーカー要求信号の受信時点における当該動画データのフレーム位置情報とを含むマーカーデータを作成する作成手段と、
前記マーカーデータに基づいて、前記動画データの初期フレームに係る第１の画像ならびに、前記マーカー要求信号の受信時点における前記動画データのフレーム位置に係る第２の画像を表示するとともに、前記送信元および前記画像データのＩＤ情報を前記第２の画像に付随させて表示する表示手段と、
を有することを特徴とする撮像システム。
【請求項２】
前記マーカー要求信号は更に、前記撮像動作により作成される前記画像データに関連する第３の画像を含み、
前記表示手段は更に、前記第３の画像を前記第２の画像に付随させて表示することを特徴とする請求項１に記載の撮像システム。
【請求項３】
撮像した画像を記録媒体に記録する画像記録装置であって、
撮像動作を行う時点で、この画像記録装置のＩＤ情報と当該撮像動作により作成される画像データのＩＤ情報とを含むマーカー要求信号を作成する作成手段と、
作成された前記マーカー要求信号を前記撮像動作のタイミングで送信する送信手段と、
を有することを特徴とする画像記録装置。
【請求項４】
前記作成手段は、当該撮像動作によって得られた画像のサムネール画像を前記マーカー要求信号に更に含めることを特徴とする請求項３に記載の画像記録装置。
【請求項５】
前記マーカー要求信号の送信の可否を設定する設定手段を更に有することを特徴とする請求項３または４に記載の画像記録装置。
【請求項６】
撮像した画像を記録媒体に記録する画像記録装置の制御方法であって、
撮像動作を行う時点で、この画像記録装置のＩＤ情報と当該撮像動作により作成される画像データのＩＤ情報とを含むマーカー要求信号を作成する作成ステップと、
作成された前記マーカー要求信号を前記撮像動作のタイミングで送信する送信ステップと、
を有することを特徴とする画像記録装置の制御方法。
【請求項７】
前記作成ステップは、当該撮像動作によって得られた画像のサムネール画像を前記マーカー要求信号に更に含めることを特徴とする請求項６に記載の画像記録装置の制御方法。
【請求項８】
前記マーカー要求信号の送信の可否を設定する設定ステップを更に有することを特徴とする請求項６または７に記載の画像記録装置の制御方法。
【請求項９】
撮像した画像を記録媒体に記録する画像記録装置を制御するための制御プログラムであって、
撮像動作を行う時点で、この画像記録装置のＩＤ情報と当該撮像動作により作成される画像データのＩＤ情報とを含むマーカー要求信号を作成する作成ステップ、
作成された前記マーカー要求信号を前記撮像動作のタイミングで送信する送信ステップ、
を実行させるための制御プログラム。
【請求項１０】
請求項９に記載の制御プログラムを格納したメモリ媒体。
【請求項１１】
撮影により得た動画像を記録媒体に記録する画像記録装置であって、
送信元を特定するＩＤ情報と送信元で作成された画像データのＩＤ情報とを含むマーカー要求信号を受信する受信手段と、
動画像の撮影動作中に前記マーカー要求信号を受信したとき、当該マーカー要求信号に含まれる前記送信元を特定するＩＤ情報および前記画像データのＩＤ情報と、この撮影動作によって作成される動画データのＩＤ情報と、当該マーカー要求信号の受信時点における当該動画データのフレーム位置情報とを含むマーカーデータを作成する作成手段と、
前記マーカーデータに基づいて、前記動画データの初期フレームに係る第１の画像ならびに、前記マーカー要求信号の受信時点における前記動画データのフレーム位置に係る第２の画像を表示するとともに、前記送信元のＩＤ情報および前記画像データのＩＤ情報を前記第２の画像に付随させて表示する表示手段と、
を有することを特徴とする画像記録装置。
【請求項１２】
前記第１および第２の画像はサムネール画像であることを特徴とする請求項１１に記載の画像記録装置。
【請求項１３】
前記マーカー要求信号は更に、前記送信元で作成された画像データに関連する第３の画像を含んでおり、
前記表示手段は更に、前記第３の画像を前記第２の画像に付随させて表示することを特徴とする請求項１１または１２に記載の画像記録装置。
【請求項１４】
前記第３の画像はサムネール画像であることを特徴とする請求項１３に記載の画像記録装置。
【請求項１５】
前記マーカー要求信号の受信の可否を設定する設定手段を更に有することを特徴とする請求項１１から１４までのいずれかに記載の画像記録装置。
【請求項１６】
受信したマーカー要求信号に含まれる送信元を特定するＩＤが、前記作成手段によるマーカーデータの作成処理を許可しうるＩＤであるか否かを判定する判定手段を更に有することを特徴とする請求項１１から１５までのいずれかに記載の画像記録装置。
【請求項１７】
撮影により得た動画像を記録媒体に記録する画像記録装置の制御方法であって、
送信元を特定するＩＤ情報と送信元で作成された画像データのＩＤ情報とを含むマーカー要求信号を受信する受信ステップと、
動画像の撮影動作中に前記マーカー要求信号を受信した場合、当該マーカー要求信号に含まれる前記送信元を特定するＩＤ情報および前記画像データのＩＤ情報と、この撮影動作によって作成される動画データのＩＤ情報と、当該マーカー要求信号の受信時点における当該動画データのフレーム位置情報とを含むマーカーデータを作成する作成ステップと、
前記マーカーデータに基づいて、前記動画データの初期フレームに係る第１の画像ならびに、前記マーカー要求信号の受信時点における前記動画データのフレーム位置に係る第２の画像を表示するとともに、前記送信元のＩＤ情報および前記画像データのＩＤ情報を前記第２の画像に付随させて表示する表示ステップと、
を有することを特徴とする画像記録装置の制御方法。
【請求項１８】
前記第１および第２の画像はサムネール画像であることを特徴とする請求項１７に記載の画像記録装置の制御方法。
【請求項１９】
前記マーカー要求信号は更に、前記送信元で作成された画像データに関連する第３の画像を含んでおり、
前記表示ステップは更に、前記第３の画像を前記第２の画像に付随させて表示することを特徴とする請求項１７または１８に記載の画像記録装置の制御方法。
【請求項２０】
前記第３の画像はサムネール画像であることを特徴とする請求項１９に記載の画像記録装置の制御方法。
【請求項２１】
前記マーカー要求信号の受信の可否を設定する設定ステップを更に有することを特徴とする請求項１７から２０までのいずれかに記載の画像記録装置の制御方法。
【請求項２２】
受信したマーカー要求信号に含まれる送信元を特定するＩＤが、前記作成ステップによるマーカーデータの作成処理を許可しうるＩＤであるか否かを判定する判定ステップを更に有することを特徴とする請求項１７から２１までのいずれかに記載の画像記録装置の制御方法。
【請求項２３】
撮影により得た動画像を記録媒体に記録する画像記録装置を制御するための制御プログラムであって、
送信元を特定するＩＤ情報と送信元で作成された画像データのＩＤ情報とを含むマーカー要求信号を受信する受信ステップ、
動画像の撮影動作中に前記マーカー要求信号を受信した場合、当該マーカー要求信号に含まれる前記送信元を特定するＩＤ情報および前記画像データのＩＤ情報と、この撮影動作によって作成される動画データのＩＤ情報と、当該マーカー要求信号の受信時点における当該動画データのフレーム位置情報とを含むマーカーデータを作成する作成ステップ、
前記マーカーデータに基づいて、前記動画データの初期フレームに係る第１の画像ならびに、前記マーカー要求信号の受信時点における前記動画データのフレーム位置に係る第２の画像を表示するとともに、前記送信元および前記画像データのＩＤ情報を前記第２の画像に付随させて表示する表示ステップ、
を実行させるための制御プログラム。
【請求項２４】
請求項２３に記載の制御プログラムを格納したメモリ媒体。
【発明の詳細な説明】
【技術分野】
【０００１】
本発明は、複数の撮像装置を連動させる撮影システムの制御技術に関する。
【背景技術】
【０００２】
従来より、ビデオカメラで撮影した複数の動画シーンから所望のシーンの検索を容易にするための技術が提案されている（たとえば特許文献１，２を参照。）。これらの提案の概略を説明する。まず、ビデオカメラで撮影した動画シーンを磁気テープ等の記録媒体に記録しておき、動画シーン中で特別にマークしておきたい時点の静止画と、その時点に対応するに動画シーンのタイムコードやテープ位置情報をメモリカード等の記憶媒体に記憶させる。その後、動画シーンの編集時にはメモリカードに記録されている静止画像とタイムコードを参照しながら磁気テープに記録されている動画シーンの検索を自動的に行うことでマークした所望の動画シーンの検索を容易に行うというものである。
【０００３】
この他、動画シーンを記録している記録媒体中にマーカーと呼ばれるシーン変化点情報を自動的に記録する提案もなされている（たとえば特許文献３を参照。）。
【０００４】
【特許文献１】特開平１１−１２７４１０号公報
【特許文献２】特開２００１−１１１９３９号公報
【特許文献３】特開平１０−２９０４２３号公報
【発明の開示】
【発明が解決しようとする課題】
【０００５】
上記した従来の技術によれば、単独の撮像機器（ビデオカメラ等）においては動画シーンの検索や編集を容易化する効果がある。しかし、複数の撮像機器で撮影された複数の画像データの時間的な前後関係や関連を把握するには不十分である。
【０００６】
例えば、結婚式では同じ被写体を撮影する目的で動画像を記録するビデオカメラと静止画像を記録するデジタルスチルカメラ等多数の撮像機器が使用される。このように複数の撮像機器で撮影された動画シーンや静止画像を整理する場合、デジタルスチルカメラで記録された静止画像はビデオカメラの動画シーン中のどこの場面で撮影されたものなのかを関連付けることは困難である。
【０００７】
また、撮影ポジションが異なる別々のビデオカメラで撮影された動画シーンを整理する場合、各々の画像が異なるので各々のシーンの時間的重なりを整理することも困難である。
【０００８】
一方、撮像機器はそれぞれ内部にタイマーを持ち画像データと関連づけて保存できるものも多数あるが、複数の撮像機器間の時刻は多少なりともずれている場合が多く、タイマーデータだけでは複数の画像データの正確な前後関係を把握することはできない。
【０００９】
本発明の目的は、複数の撮像機器で撮影された画像データの時間的な前後関係や関連を明確化する技術を実現することである。
【課題を解決するための手段】
【００１０】
本発明の一側面は、相互に通信可能に構成された第１および第２の撮像装置を含む撮像システムに係る。第１の撮像装置は、撮像動作を行う時点で、送信元を特定するＩＤ情報と当該撮像動作により作成される画像ファイルのファイル名とを含むマーカー要求信号を第２の撮像装置に送信する送信手段を有する。第２の撮像装置は、動画像の撮影動作中に前記マーカー要求信号を受信した場合、当該マーカー要求信号に含まれる前記送信元を特定するＩＤ情報および前記画像データのＩＤ情報と、この撮影動作によって作成される動画データのＩＤ情報と、当該マーカー要求信号の受信時点における当該動画データのフレーム位置情報とを含むマーカーデータを作成する作成手段と、前記マーカーデータに基づいて、前記動画データの初期フレームに係る第１の画像ならびに、前記マーカー要求信号の受信時点における前記動画データのフレーム位置に係る第２の画像を表示するとともに、前記送信元および前記画像データのＩＤ情報を前記第２の画像に付随させて表示する表示手段とを有する。
【００１１】
本発明の別の側面は、撮像した画像を記録媒体に記録する画像記録装置に係り、撮像動作を行う時点で、この画像記録装置のＩＤ情報と当該撮像動作により作成される画像データのＩＤ情報とを含むマーカー要求信号を作成する作成手段と、作成された前記マーカー要求信号を前記撮像動作のタイミングで送信する送信手段とを有する。
【００１２】
本発明の更に別の側面は、撮影により得た動画像を記録媒体に記録する画像記録装置に係り、送信元を特定するＩＤ情報と送信元で作成される画像データのＩＤ情報とを含むマーカー要求信号を受信する受信手段と、動画像の撮影動作中に前記マーカー要求信号を受信した場合、当該マーカー要求信号に含まれる前記送信元を特定するＩＤ情報および前記画像データのＩＤ情報と、この撮影動作によって作成される動画データのＩＤ情報と、当該マーカー要求信号の受信時点における当該動画データのフレーム位置情報とを含むマーカーデータを作成する作成手段と、前記マーカーデータに基づいて、前記動画データの初期フレームに係る第１の画像ならびに、前記マーカー要求信号の受信時点における前記動画データのフレーム位置に係る第２の画像を表示するとともに、前記送信元および前記画像データのＩＤ情報を前記第２の画像に付随させて表示する表示手段とを有する。
【発明の効果】
【００１３】
本発明によれば、複数の撮像機器で撮影された画像データの時間的な前後関係や関連を明確化する技術を実現することができる。
【発明を実施するための最良の形態】
【００１４】
以下、図面を参照して本発明の好適な実施形態について詳細に説明する。
【００１５】
（第１の実施形態）
図１は、本発明の実施形態に係るビデオカメラ１００の構成を示すブロック図である。
【００１６】
１０１はＣＣＤ、レンズ等を含み、被写体の映像信号をデジタル化して取り出す撮像部である。１０２は撮像部１０１からの映像信号に対し画素補間処理、色演算処理、ガンマ処理等の処理を行いベースバンドの画像データを作成する画像処理部である。画像処理部１０２からの画像データはＬＣＤ等で構成されるモニタ１０５に出力され記録時の被写体確認等に用いられる。
【００１７】
画像処理部１０２からの画像データは画像圧縮／伸張部１０３にも入力される。画像圧縮／伸張部１０３では記録時にＭＰＥＧ２方式などの動画像圧縮方式を用いて画像を圧縮し半導体メモリカードや光磁気ディスク等で構成される記録媒体１０４に記録を行う。また再生時には記録媒体１０４に記録されている圧縮画像データを伸張し再生画像としてモニタ１０５や外部インタフェース（Ｉ/Ｆ）１０６に画像データを出力する。
【００１８】
画像処理部１０２および画像圧縮／伸張部１０３は、後述するシステムコントローラ１０７からのマーカー要求信号により撮像部１０１からの映像信号をキャプチャ（取得）してメモリ１０９に格納し、マーカー用のサムネール画像を作成する処理も行う。
【００１９】
外部Ｉ/Ｆ１０６は画像処理部１０２や画像圧縮／伸張部１０３から入力された画像データをＵＳＢ等のＩ/Ｆ規格に対応したデータストリームに変換してパーソナルコンピュータ等の外部機器に出力する。
【００２０】
１０７はシステムコントローラでありビデオカメラ全体を統合的に制御する。システムコントローラ１０７は図示のようにＣＰＵ１０７Ａおよびプログラムメモリ１０７Ｂを有し、ＣＰＵ１０７Ａはプログラムメモリ１０７Ｂに格納されたプログラムに基づいて動作する。また、システムコントローラ１０７は後述する手法により撮影された動画シーンに関連したマーカーデータを作成する処理も行う。
【００２１】
１０８は他の撮像機器とマーカー要求信号の送受信を行う送受信部である。１０９はフラッシュメモリ等のメモリであり、先述のとおりキャプチャされた映像信号を記憶するほか、このビデオカメラのＩＤ情報や、マーカー要求信号を受け付け可能な他の撮像機器のＩＤ情報を記憶し、さらには、ＩＤ情報に対応したアイコンデータ等も複数記憶する。
【００２２】
１１０はビデオカメラシステム全体の各種操作に係る操作スイッチ部であり、記録開始、停止を指示するための記録開始スイッチや後述するマーカー要求信号の送受信モードを選択するスイッチを含む構成になっている。
【００２３】
図２は、実施形態に係るデジタルスチルカメラ２００の構成を示すブロック図である。
【００２４】
２０１はＣＣＤ、レンズ等を含み、被写体の映像信号をデジタル化して取り出す撮像部である。２０２は画像処理部で、後述するシステムコントローラ２０７からの撮影開始信号により撮像部２０１から画像信号をキャプチャしてメモリ２０９に格納し、また、キャプチャした画像信号に対し画素補間処理、色演算処理、ガンマ処理等の処理を行いベースバンドの静止画像データを作成する画像処理部である。画像処理部２０２からの画像データはＬＣＤ等で構成されるモニタ２０５に出力され記録時の被写体確認に用いられる。
【００２５】
画像処理部２０２からの画像データは画像圧縮／伸張部２０３に入力される。画像圧縮／伸張部２０３では記録時にＪＰＥＧ方式などの画像圧縮方式を用いて画像を圧縮し半導体メモリカード等で構成される記録媒体２０４に記録を行う。また再生時には記録媒体２０４に記録されている圧縮画像データを伸張し再生画像としてモニタ２０５や外部Ｉ/Ｆ２０６に画像データを出力する。
【００２６】
外部Ｉ/Ｆ部２０６は画像処理部２０２や画像圧縮／伸張部２０３から入力された画像データをＵＳＢ等のＩ/Ｆ規格に対応したデータストリームに変換してパソコン等の外部機器に出力する。
【００２７】
２０７はシステムコントローラでありデジタルスチルカメラ全体を統合的に制御する。システムコントローラ２０７はＣＰＵ２０７Ａおよびプログラムメモリ２０７Ｂを有し、ＣＰＵ２０７Ａはプログラムメモリ２０７Ｂに格納されたプログラムに基づいて動作する。また、システムコントローラ２０７は後述する手法によりデジタルスチルカメラのレリーズスイッチ２１０Ａが押下されたタイミングでこのデジタルスチルカメラのＩＤ情報を含んだマーカー要求信号を送信する処理も行う。
【００２８】
２０８は他の撮像機器にマーカー要求信号の送信を行う送信部である。２０９はフラッシュメモリ等のメモリであり、先述のとおりキャプチャされた画像信号を記録するほか、このデジタルスチルカメラのＩＤ情報などを記憶する。
【００２９】
２１０はデジタルスチルカメラシステム全体の各種操作に係る操作スイッチ部であり、静止画記録の開始を指示するレリーズスイッチや後述するマーカー要求信号の送信モードを選択するスイッチを含む構成になっている。
【００３０】
このように、図１のビデオカメラ１００および図２のデジタルスチルカメラ２００はそれぞれ、送受信部１０８および送信部２０８を有することで相互に通信可能に構成されている。なおこの通信は、Bluetooth等のスペクトラム拡散通信やＩｒＤＡ等の赤外線通信に代表される無線通信方式を利用するものでも良いし、通信ケーブルを用いた有線通信方式でも良い。そして、これらビデオカメラ１００およびデジタルスチルカメラ２００によって、実施形態に係る撮像システムが構成される。もっとも、この撮像システムは、ビデオカメラ１００とデジタルスチルカメラ２００の２台だけでなく、同様な構成の別のビデオカメラまたはデジタルスチルカメラを更に含む構成であってもよい。ただし、ここでは説明を簡単にするため、代表的にビデオカメラ１００とデジタルスチルカメラ２００についてのみ説明する。
【００３１】
図３は、デジタルスチルカメラ２００のシステムコントローラ２０７による制御処理を示すフローチャートである。このフローチャートに対応するプログラムはプログラムメモリ２０７Ｂに格納されており、ＣＰＵ２０７Ａがそれを読み出して実行するものである。
【００３２】
先ずステップＳ３０１において、カメラの画像記録の実行を指示するためのレリーズスイッチ２１０Ａが押下されたかどうかを判断する。ここでレリーズスイッチ２１０Ａが押下されていないと判断された場合は再びステップＳ３０１に戻り、レリーズスイッチ２１０Ａの状態を監視する。一方、レリーズスイッチ２１０Ａが押下されたと判断された場合は、ステップＳ３０２に進み、静止画像データをメモリ２０９にキャプチャする処理を行う。
【００３３】
次に、ステップＳ３０３で、画像データをファイルとして記録する際のファイル名（ファイル番号）を決定する。このファイル名は画像データのＩＤとして機能する。ここでファイル名を決定する手法としては、日本電子工業振興協会（ＪＥＩＤＡ）によって制定されたＤＣＦ（Design rule for Camera File system）規格のような画像ファイル管理の共通ルールが広く知られている。この規格に準拠した装置では、記録する画像のファイル名が既にメモリカード内に存在するファイル名と重ならないように、事前にディレクトリエントリをサーチし、ファイル名が重複しないことを確認してから新たな名前のファイルを作成する。例えば、“ＩＭＧ＿０００１．ＪＰＧ”乃至“ＩＭＧ＿００１５．ＪＰＧ”という名前のファイルが既に存在するメモリカードに新たな撮影画像を記録する場合、新たなファイル名は“ＩＭＧ＿００１６．ＪＰＧ”に決定される。
【００３４】
次に、より好適な実施態様として、ステップＳ３０４において、デジタルスチルカメラ２００がマーカー要求信号（詳細は後述）をビデオカメラ１００を含む外部の撮像機器に送信することが許可された状態であるか否かを判定する。これは例えば、図２における操作スイッチ２１０内のマーカー要求信号送信モード選択スイッチの状態に基づいて判断する。デジタルスチルカメラ２００のマーカー要求信号送信モードは、例えば以下の２つのモードに設定可能である。
【００３５】
第１のモードは、マーカー要求信号の送信が許可状態となるマーカー要求信号送信許可モード、第２のモードは、マーカー要求信号の送信が禁止状態となるマーカー要求信号送信禁止モードである。
【００３６】
マーカー要求信号送信許可状態と判定された場合はステップＳ３０５に進み、メモリ２０９からこのデジタルスチルカメラ２００のＩＤデータを読み出し、そのＩＤデータとステップＳ３０３で決定されたファイル名とを含むマーカー要求信号を送信部２０８に出力する。マーカー要求信号に含まれるデジタルスチルカメラ２００のＩＤデータはその送信元情報となり、また、ファイル名は画像データの識別情報となる。その後、ステップＳ３０６に進む。一方、ステップＳ３０４でマーカー要求信号の送信が禁止状態である場合はステップＳ３０５の処理は行わず、そのままステップＳ３０６に進む。
【００３７】
ステップＳ３０６では、ステップＳ３０２でメモリ２０９にキャプチャされた画像信号をＪＰＥＧ方式などの画像圧縮方式により圧縮する処理を行う。そして、ステップＳ３０７にて、所定のファイル形式で記録媒体２０４に記録する処理を行う。
【００３８】
このように、本実施形態におけるデジタルスチルカメラ２００は、レリーズスイッチ２１０Ａが押下されることをトリガにして撮像動作（ファイル名の決定、画像圧縮、記録媒体への記録）を行う時点で、送信元情報であるデジタルスチルカメラ２００のＩＤと当該撮像動作により作成される画像データのＩＤとしてのファイル名とを含むマーカー要求信号を送信する。またこの際、好ましくは、このようなマーカー要求信号を送信するのは、その信号の送信を許可するモードに設定されているときのみに限定される。
【００３９】
図４は、ビデオカメラ１００のシステムコントローラ１０７による制御処理を示すフローチャートである。このフローチャートに対応するプログラムはプログラムメモリ１０７Ｂに格納されており、ＣＰＵ１０７Ａがそれを読み出して実行する。
【００４０】
先ずステップＳ４０１において、ビデオカメラの録画開始や停止を指示するための録画開始スイッチ１１０Ａの状態を判断する。ここで録画開始スイッチ１１０Ａがオン状態になっていないと判断された場合は再びステップＳ４０１に戻り、録画開始スイッチ１１０Ａの状態を監視する。一方、録画開始スイッチ１１０Ａがオン状態になっていると判断された場合は、ステップＳ４０２に進み、動画像データを記録媒体１０４に記録する処理を開始する。次に、ステップＳ４０３で、画像シーンを動画クリップとして記録する際のファイル名を決定する。
【００４１】
ところで、このビデオカメラ１００も、デジタルスチルカメラ２００と同様に、設定に応じてマーカー要求信号を送信することが可能である。もっとも、デジタルスチルカメラ２００のようにマーカー要求信号を受信してそれを処理する機能を持たない撮像機器に対してマーカー要求信号を送信することは意味がないのだが、この撮像システムにビデオカメラ１００と同様の構成のビデオカメラが更に存在する場合にはそのようなビデオカメラにマーカー要求信号を送信する意義がある。そこで、続くステップＳ４０４では、このビデオカメラがマーカー要求信号を外部の撮像機器に送信することが許可された状態であるか否かを判定する処理を行う。これは例えば、図１における操作スイッチ１１０内のマーカー要求信号送受信モード選択スイッチの状態に基づいて判断する。ビデオカメラ１００のマーカー要求信号送受信モードは、例えば以下の４つのモードに設定可能である。
【００４２】
第１のモードは、マーカー要求信号の送受信が許可状態となるマーカー要求信号送受信許可モード、第２のモードは、マーカー要求信号の送信のみが許可状態となるマーカー要求信号送信許可モード、第３のモードは、マーカー要求信号の受信のみが許可状態となるマーカー要求信号受信許可モード、そして、第４のモードは、マーカー要求信号の送受信が共に禁止状態となるマーカー要求信号送受信禁止モードである。
【００４３】
マーカー要求信号送信許可状態と判定された場合はステップＳ４０５に進み、メモリ１０９からこのビデオカメラのＩＤデータを読み出し、そのＩＤデータとステップＳ４０３で決定されたファイル名とを含むマーカー要求信号を送信部１０８に出力する。マーカー要求信号に含まれるビデオカメラ１００のＩＤデータはその送信元情報となり、また、ファイル名は画像データの識別情報となる。その後、ステップＳ４０６に進む。一方、ステップＳ４０４でマーカー要求信号の送信が禁止状態である場合はステップＳ４０５の処理は行わず、そのままステップＳ４０６に進む。
【００４４】
ステップＳ４０６では、マーカー要求信号を外部の撮像機器から受信することが許可された状態であるか否かを判定する。マーカー要求信号受信許可状態である場合は、次のステップＳ４０７でマーカー要求信号を受信したかどうかを確認する。受信していない場合はステップＳ４１１に進む。受信した場合はステップＳ４０８に進み、受信したマーカー要求信号に含まれる送信元情報（ＩＤデータ）を確認し、ステップＳ４０９で、その送信元情報（ＩＤデータ）がビデオカメラが受信またはその後のマーカーデータの作成を許可するＩＤデータ群に含まれるかどうかを照合あるいは判定する。ここで、送信元情報（ＩＤデータ）が許可されたものでないときはステップＳ４１１に進む。一方、送信元情報（ＩＤデータ）が許可されたものである場合にはステップＳ４１０に進み、後述するマーカーデータの作成を行い作成されたマーカーデータを記録媒体１０４に記録する。
【００４５】
ステップＳ４１１では、録画開始スイッチ１１０Ａがオフ状態になっているかどうかを監視する。ここで録画開始スイッチ１１０Ａがオン状態に維持されていると判断された場合は再びステップＳ４０６に戻り、マーカー要求信号の受信判定を行う。一方、録画開始スイッチ１１０Ａがオフ状態と判断された場合はステップＳ４１２に進み、画像記録動作を終了し、ステップＳ４０３で決定されたファイル名を持つ動画シーンファイルの作成を終了する。
【００４６】
本実施形態におけるビデオカメラ１００の制御処理は以上のとおりであるが、これをまとめると、基本的には、動画像の撮影動作中に、マーカー要求信号を受信すると、それに応じて後述するマーカーデータを作成する、という処理になる。ここで、好ましくは、このビデオカメラ１００はマーカー要求信号を送信および／または受信の可否を設定することが可能であり（ステップＳ４０４，Ｓ４０６）、また、マーカーデータを作成するのは特定の送信元からマーカー要求信号が送信されてきた場合に限定することが可能である（ステップＳ４０８，Ｓ４０９）。
【００４７】
これらステップＳ４０８，Ｓ４０９の処理を行うのは、たとえば本撮像システムと同様のシステムが同じエリア内で重複して存在している場合に、別のシステムにおける撮像機器からのマーカー要求信号を受信して誤動作することを防ぐためである。
【００４８】
ここで、ステップＳ４１０で作成されるマーカーデータの構成例を図５に示す。
【００４９】
図中５００はビデオカメラ１００のＩＤデータである。５０１は受信したマーカー要求信号から抽出した送信元ＩＤ情報であり、この情報を基づいてマーカー要求信号を送信してきた撮像機器の種類などを特定することができる。５０２は受信したマーカー要求信号から抽出したファイル名である。これは、マーカー要求信号を送信してきた撮像機器（デジタルスチルカメラ２００）が保存している画像データのファイル名を示す。記録ファイル名５０３は、マーカー要求信号を受信した時点で撮影していた動画データ（動画シーンファイル）のＩＤとしてのファイル名である。５０４はマーカー要求信号の受信時点における５０３に係る動画データ（動画シーンファイル）のフレーム位置情報である。基本的にはマーカーデータは以上の情報で構成されるが、さらに、５０４に示されるフレーム位置の映像信号に係るサムネール画像データ５０５を有する。
【００５０】
図６は、ビデオカメラ１００が記録媒体中に記録した動画シーンファイルの構成例を示す図である。
【００５１】
図中６００はビデオカメラ１００のＩＤデータであり、図５の５００と同じ内容である。６０１は動画シーンのファイル名、６０２は動画ファイルの記録を開始した最初のフレーム（初期フレーム）のサムネール画像データである。そして、６０３が各フレームの動画シーンの画像データである。
【００５２】
例えばビデオカメラ１００は、上記の制御処理によって記録された動画シーンファイルをモニタ１０５にインデックス表示させることが可能である。以下では、この動画シーンファイルをモニタ１０５にインデックス表示させる動作について説明する。
【００５３】
一例として、図６に示したファイル名Ａの動画シーンをインデックス表示させる場合を説明する。まず、インデックス表示対象の動画シーンファイルＡの初期フレームに係るサムネール画像データ（６０３）を表示する。次に、マーカーデータから、ファイル名Ａと一致する記録ファイル名を検索する。該当するマーカーデータが見つかると、マーカーデータ中の記録ファイル名Ａに対応するサムネール画像５０５を表示する。先述したように、このサムネール画像５０５は、マーカー要求信号の受信時点における動画シーンファイルのフレーム位置の画像である。そして、表示したそのサムネール画像に付随して（例えばそのサムネール画像の上に）、その記録ファイル名Ａに対応するマーカー要求信号の送信元５０１の撮像機器を示すアイコンと受信ファイル名５０２も表示する。
【００５４】
以上説明した実施形態における撮像システムの使用例を図７を用いて説明する。
【００５５】
図中Ｔ１〜Ｔ３は時間の経過を示す。Ｔ１の時点で被写体７０１Ａをビデオカメラ１００で撮影開始したとする。この時点Ｔ１ではデジタルスチルカメラ２００のレリーズスイッチ２１０Ａは押されていない。Ｔ２の時点ではビデオカメラ１００は録画を続けている。Ｔ２で被写体が７０１Ｂの状態になった時点でデジタルスチルカメラ２００のレリーズスイッチ２１０Ａが押下されると、記録媒体２０４に記録されることになる静止画像ファイル「ＩＭＧ００３．ＪＰＧ」が作成され、その時点でマーカー要求信号がビデオカメラ１００に送信される。ビデオカメラ１００はマーカー要求信号を受信した時点でマーカーデータを作成する。その後Ｔ３の時点で、ビデオカメラ１００の録画が終了しファイル名「ＭＯＶ００５.ＤＡＴ」の動画シーンデータが作成される。
【００５６】
図７に示した一連の動作によってデジタルスチルカメラ２００内に作成される静止画像ファイルの構造例を図８に示す。８００はデジタルスチルカメラ２００のＩＤデータ、８０１は静止画ファイル名（ＩＭＧ００３．ＪＰＧ）、８０２は静止画データであり、撮影した被写体は図７における７０１Ｂなので８０２ｉのようになる。
【００５７】
また、図７に示した一連の動作によってビデオカメラ１００で作成されるマーカーデータの構造例を図９に示す。５００はビデオカメラ１００のＩＤ、５０１の受信ＩＤ情報はデジタルスチルカメラ２００のＩＤ、受信ファイル名５０２は「ＩＭＧ００３.ＪＰＧ」、記録ファイル名５０３は「ＭＯＶ００５．ＤＡＴ」となる。サムネール画像データ５０５は、ビデオカメラ１００で撮影した被写体が図７における７０１Ｂなので５０５ｉのようになる。
【００５８】
また、図７に示した一連の動作によってビデオカメラ１００で作成される動画シーンファイルの構造例を図１０に示す。６００はビデオカメラ１００のＩＤ、ファイル名６０１は「ＭＯＶ００５．ＤＡＴ」、サムネール画像データ６０２は初期フレームの画像に係るもので、撮影開始したＴ１時点の被写体が図７における７０１Ａなので６０２ｉのようになる。
【００５９】
図１１は、ビデオカメラ１００による動画シーンファイルのインデックス表示例を示す図で、図７に示した一連の動作によってビデオカメラ１００が作成した動画シーンファイル（ＭＯＶ００５．ＤＡＴ）についてモニタ１０５にインデックス表示させた例を示している。
【００６０】
図中１１１は動画シーンファイルのファイル名「ＭＯＶ００５．ＤＡＴ」（図１０の６０１）である。１１２はＭＯＶ００５．ＤＡＴ内のサムネール画像（図１０の６０２）を表示したものであり、１１３はデジタルスチルカメラ２００からのマーカー要求信号により作成されたマーカーデータ中のサムネール画像（図９の５０５）、すなわち、ＭＯＶ００５．ＤＡＴにおけるマーカー要求信号の受信時点のフレーム位置の画像、を表示したものである。１１４は図９の５０１の送信元を示すＩＤに対応した撮像機器（デジタルスチルカメラ）を示すアイコンであり事前にＩＤと対応させてビデオカメラ１００内のメモリ１０９に記憶させているものである。アイコン用のデータがない場合は送信元を特定するＩＤ情報そのものを表示してもよい。１１５はマーカー要求信号を送信したデジタルスチルカメラが作成した静止画像のファイル名（図９の５０２）である。
【００６１】
このようなインデックス表示によれば、動画シーンファイルの初期フレームに係る第１の画像（例えばサムネール画像）ならびに、マーカー要求信号の受信時点における動画シーンファイルのフレーム位置に係る第２の画像が表示されると共に、その第２の画像に付随してマーカー要求信号の送信元およびそのマーカー要求信号送信時にその送信元で作成された画像データのＩＤ（ファイル名）もが表示されるので、ビデオカメラ１００で撮影された画像データとデジタルスチルカメラ２００で撮影された画像データの時間的な前後関係を容易に把握することができる。
【００６２】
図１２は、デジタルスチルカメラ２００の静止画像ファイル「ＩＭＧ００３．ＪＰＧ」を表示させた例である。図中１２１は静止画像のファイル名（図８中８０１）である。
【００６３】
以上説明したように本実施形態における撮像システムによれば、図１１に示したように、複数の撮像機器で撮影された画像データの関連を明確にすることができる。
【００６４】
また、マーカーデータに含まれるフレーム位置データ（図５の５０４）により、デジタルスチルカメラによる撮影は動画シーン中のどの時点で行われたかを正確に把握することができるので、編集時のマーカーとして使用すると編集の効率を上げることも可能になる。
【００６５】
また、マーカーデータに含まれる受信ファイル名（図５の５０２）を、図１１の１１５のように動画シーンファイルのインデックス表示中に表示することが可能なため、デジタルスチルカメラで撮影された静止画像とビデオで撮影された動画像など複数の画像データを容易に対応付けて管理することが可能になる。
【００６６】
また、各撮像機器のが記録している画像データには、撮像機器を特定するＩＤ情報が付加されているので、別々の撮像機器で撮影した複数の記録メディアにまたがる各種画像データを時間的な前後関係を含めて総合的に管理することも可能になる。
【００６７】
また、インデックス表示の際に図１１の１１４のようにＩＤに対応した撮像機器アイコンで表示することで他の撮像機器との関連をより視覚的に理解することも可能となる。
【００６８】
（第２の実施形態）
第２の実施形態に係る撮像システムの構成ならびに動作フローの概要は上述した第１の実施形態と同様なのでそれらの説明は省略する。
【００６９】
第１の実施形態では、図３のＳ３０５や図４のＳ４０５において送信されるマーカー要求信号は、送信元を特定するＩＤ情報と画像ファイル名とを含むものであった。しかし複数の撮像機器間で行う通信方法によっては短時間により多くの情報のやりとりが可能な場合がある。そこで、本実施形態ではそのように複数の撮像機器間で高速のデータ通信が行える場合を考えて、マーカー要求信号の中に撮影した画像のサムネールデータを更に含ませる。
【００７０】
再び、図７を参照して被写体を撮影した場合の動作について説明する。
【００７１】
Ｔ１の時点で被写体７０１Ａをビデオカメラ１００で撮影開始したとする。この時点でデジタルスチルカメラ２００のレリーズスイッチ２１０Ａは押されていない。Ｔ２の時点ではビデオカメラ１００は録画を続けている。Ｔ２で被写体が７０１Ｂの状態になった時点でデジタルスチルカメラ２００のレリーズスイッチ２１０Ａが押下されると、静止画像ファイル「ＩＭＧ００３．ＪＰＧ」が作成され、その時点で「ＩＭＧ００３．ＪＰＧ」のサムネールデータを含むマーカー要求信号がビデオカメラ１００に送信される。ビデオカメラ１００はマーカー要求信号を受信した時点でマーカーデータを作成する。その後Ｔ３の時点で、ビデオカメラ１００の録画が終了しファイル名「ＭＯＶ００５.ＤＡＴ」の動画シーンデータが作成される。これらの動作でデジタルスチルカメラ２００内に作成される静止画像ファイルは第１の実施形態と同様、図８のようになる。
【００７２】
一方、ビデオカメラ１００で作成されるマーカーデータの構造例を図１３に示す。５００はビデオカメラ１００のＩＤ、５０１の受信ＩＤ情報はデジタルスチルカメラ２００のＩＤ、受信ファイル名５０２は「ＩＭＧ００３.ＪＰＧ」、記録ファイル名５０３は「ＭＯＶ００５．ＤＡＴ」となる。
【００７３】
サムネール画像データはここでは２種類作成される。第１のサムネールデータは５０５Ａで示す送信側（すなわちデジタルスチルカメラ２００）の「ＩＭＧ００３．ＪＰＧ」に対応するサムネールデータであり、その内容は５０５Ａｉで示すものである。第２のサムネールデータは５０５Ｂで示すように受信側（すなわちビデオカメラ１００）で作成されたものであり、第１の実施形態と同様にその内容は５０５Ｂｉのようになる。
【００７４】
ビデオカメラ１００で作成される動画シーンデータは第１の実施形態の場合と同様で図１０に示すようになる。
【００７５】
図１４は、本実施形態におけるビデオカメラ１００による動画シーンファイルのインデックス表示例を示す図で、図７に示した一連の動作によってビデオカメラ１００が作成した動画シーンファイル（ＭＯＶ００５．ＤＡＴ）についてモニタ１０５にインデックス表示させた例を示している。
【００７６】
図中１４１は動画シーンファイルのファイル名「ＭＯＶ００５．ＤＡＴ」（図１０の６０１）である。１４２はＭＯＶ００５．ＤＡＴ内のサムネール画像（図１０の６０２）を表示したものであり、１４３はデジタルスチルカメラ２００からのマーカー要求信号により作成されたマーカーデータ中の第２のサムネール画像（図１３の５０５Ｂ）、すなわち、ＭＯＶ００５．ＤＡＴにおけるマーカー要求信号の受信時点のフレーム位置の画像、を表示したものである。１４４は図１３の５０１の送信元を特定するＩＤに対応した撮像機器（デジタルスチルカメラ）を示すアイコンであり事前にＩＤと対応させてビデオカメラ１００内のメモリ１０９に記憶させているものである。１４５はマーカー要求信号を送信したデジタルスチルカメラが作成した静止画像のファイル名（図１３の５０２）である。そして、１４６はマーカー要求信号を送信したデジタルスチルカメラが作成した静止画像「ＩＭＧ００３.ＪＰＧ」に対応するサムネール画像（図１３の５０５Ａ）である。
【００７７】
このように、インデックス表示の際に、マーカー要求信号の送信元に対応した撮像機器のアイコンを表示すると共に、そのマーカー要求信号を送信した撮像機器が撮影した画像のサムネール画像も表示されるので、他の撮像機器との関連をより直感的かつ視覚的に理解させることが可能となる。
【００７８】
（その他の実施形態）
本発明は、前述した実施形態の機能を実現するソフトウェアのプログラムを、システムあるいは装置に直接あるいは遠隔から供給し、そのシステムあるいは装置のコンピュータがその供給されたプログラムコードを読み出して実行することによって目的が達成される場合を含む。その場合、プログラムの機能を有していれば、その形態はプログラムである必要はない。
【００７９】
従って、本発明の機能処理をコンピュータで実現するために、そのコンピュータにインストールされるプログラム自体およびそのプログラムを格納した記憶媒体（メモリ媒体）も本発明を実現するものである。つまり、本発明の特許請求の範囲には、本発明の機能処理を実現するためのコンピュータプログラム自体も含まれる。
【００８０】
その場合、プログラムの機能を有していれば、オブジェクトコード、インタプリタにより実行されるプログラム、ＯＳに供給するスクリプトデータ等、プログラムの形態を問わない。
【００８１】
プログラムを供給するための記憶媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００８２】
その他、プログラムの供給方法としては、クライアントコンピュータのブラウザを用いてインターネットのホームページに接続し、そのホームページから本発明のコンピュータプログラムそのもの、もしくは圧縮され自動インストール機能を含むファイルをハードディスク等の記憶媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００８３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００８４】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００８５】
さらに、記憶媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００８６】
【図１】本発明の実施形態に係るビデオカメラの構成を示すブロック図である。
【図２】本発明の実施形態に係るデジタルスチルカメラの構成を示すブロック図である。
【図３】実施形態におけるデジタルスチルカメラのシステムコントローラによる制御処理を示すフローチャートである。
【図４】実施形態におけるデジタルスチルカメラのシステムコントローラによる制御処理を示すフローチャートである。
【図５】マーカーデータの構成例を示す図である。
【図６】ビデオカメラの記録媒体に記録される動画シーンファイルの構成例を示す図である。
【図７】実施形態における撮像システムの使用例を説明する図である。
【図８】図７に示した一連の動作によってデジタルスチルカメラ内に作成される画像データの構造例を示す図である。
【図９】図７に示した一連の動作によってビデオカメラ内に作成されるマーカーデータの構造例を示す図である。
【図１０】図７に示した一連の動作によってビデオカメラ１００内に作成される動画シーンファイルの構造例を示す図である。
【図１１】ビデオカメラによる動画シーンファイルのインデックス表示例を示す図である。
【図１２】デジタルスチルカメラ内に記録される静止画データを表示させた場合の画面構成例を示す図である。
【図１３】第２の実施形態におけるマーカーデータの構造例を示す図である。
【図１４】第２の実施形態における、ビデオカメラによる動画シーンファイルのインデックス表示例を示す図である。
【図１】
2005136892.tif 000003
【図２】
2005136892.tif 000004
【図３】
2005136892.tif 000005
【図４】
2005136892.tif 000006
【図５】
2005136892.tif 000007
【図６】
2005136892.tif 000008
【図７】
2005136892.tif 000009
【図８】
2005136892.tif 000010
【図９】
2005136892.tif 000011
【図１０】
2005136892.tif 000012
【図１１】
2005136892.tif 000013
【図１２】
2005136892.tif 000014
【図１３】
2005136892.tif 000015
【図１４】
2005136892.tif 000016